(57)【要約】【課題】デッキ材の長手方向端部及びデッキ材側面に設置される幕板の取付けについて、新規の構造を提案する。【解決手段】幕板４を幕板固定部材５で固定してなるデッキ１０であって、幕板固定部材５は、前記幕板４の表面４ｄ側から挿入されるビス（ドリルネジ）４３を固定するための固定用縦面部５２ａと、前記ビス４３の先端に対向するカバー面部５６と、前記幕板４の一部（下端部４ａ）を支持するための支持部５５と、が形成されている幕板固定部材５とする。【選択図】図２
2014125743.tif 000002
【特許請求の範囲】
【請求項１】
幕板を幕板固定部材で固定してなるデッキであって、
前記幕板固定部材は、
前記幕板の表面側から挿入されるビスを固定するための固定用縦面部と、
前記ビスの先端に対向するカバー面部と、
前記幕板の一部を支持するための支持部と、
が形成されている、デッキ。
【請求項２】
前記支持部には、前記幕板の所定の部位に係合するための係合部が形成されている、
ことを特徴とする、請求項１に記載のデッキ。
【請求項３】
前記幕板固定部材は、
前記デッキの床面を構成するデッキ材の長手方向の端面にビス留めされるものであって、
前記デッキ材にビス留めするための前記ビスの先端部に対向するカバー面部が形成されている
ことを特徴とする、請求項１又は２に記載のデッキ。
【請求項４】
デッキ材の長手方向の端面に幕板固定部材を付け合せるとともに、前記幕板固定部材をビスによって固定するステップと、
幕板を前記幕板固定部材に係合させるとともに、前記幕板を前記幕板固定部材の支持部に載置して仮置きするステップと、
前記幕板の表面側からビスを打ち込んで、前記幕板を前記幕板固定部材の固定用縦面部に固定するステップと、を含むデッキの施工方法。
【請求項５】
デッキ材の側面に幕板固定部材を付け合せるとともに、前記幕板固定部材を大引に固定するステップと、
幕板を前記幕板固定部材に係合させるとともに、前記幕板を前記幕板固定部材の支持部に載置して仮置きするステップと、
前記幕板の表面側からビスを打ち込んで、前記幕板を前記幕板固定部材の固定用縦面部に固定するステップと、を含むデッキの施工方法。
【発明の詳細な説明】
【技術分野】
【０００１】
本発明は、本発明は、住宅や中規模施設といった建物のエクステリアを構成するデッキや、スロープに関するものである。
【背景技術】
【０００２】
従来、例えば特許文献１に開示されるように、建物のエクステリアを構成するデッキについての技術が知られている。
【０００３】
この種のデッキは、一般に基礎石上に起立固定した多数の束柱に大引を架設固定し、大引に直交するように長尺のデッキ材（床材）を載置固定してなるものである。
【０００４】
デッキ材は、例えば、合成樹脂と木粉を混合した中空押出成形材によって人工木として構成されており、長いホロー部（中空部）がデッキ材に複数形成されるようになっている。
【０００５】
そして、このホロー部の露出を隠すために、デッキ材の長手方向の端部に幕板を設置し、この幕板によって化粧を行う構成とされている。
【０００６】
また、この幕板は、デッキ材の長手方向の端部に配置されるほか、デッキ材の側面に付設されてデッキ材と平行に配置され、デッキ材で構成する床面の周囲が幕板によって取り囲まれる構成が実現される。
【０００７】
そして、特許文献１では、このデッキ材と幕板の間を接合するための幕板固定部材（接合用金具）の構成について開示しており、幕板の裏側から幕板固定部材に対し幕板をビス留めする構成としている。
【先行技術文献】
【特許文献】
【０００８】
【特許文献１】特許第３８４２６７８号明細書
【発明の概要】
【発明が解決しようとする課題】
【０００９】
しかしながら、特許文献１に開示されるように、幕板の裏側から幕板固定部材に対し幕板をビス留めする構成では、幕板の裏側に手や工具を差し込む必要があることや、ビスの固定用穴の位置を探る必要があることから、施工性の改善の余地があった。
【００１０】
また、地面と幕板の隙間が狭い施工現場においては、幕板の裏側からビス留めの作業を行えず、施工ができないことも懸念される。
【００１１】
このようなことから、幕板の表面側からの作業によって幕板を固定するといった要望が存在するが、幕板の長さは、例えば３．６メートルといった長尺なものとなるため、作業員一人による施工などが実施されることまでを想定すると、高い施工性が要求されることになる。
【００１２】
さらに、ビス留めを幕板の表面側から実施することとなると、ビスの先端が幕板の裏側から突出することになるが、このビスの先端の露出への対策を講じる必要もある。
【００１３】
そこで、本発明は以上の構成に鑑み、幕板の表面側からの作業によって幕板を固定することを実現するための新規な技術を提案するものである。
【課題を解決するための手段】
【００１４】
本発明の解決しようとする課題は以上の如くであり、次にこの課題を解決するための手段を説明する。
【００１５】
即ち、請求項１に記載のごとく、
幕板を幕板固定部材で固定してなるデッキであって、
幕板固定部材は、
幕板の表面側から挿入されるビスを固定するための固定用縦面部と、
ビスの先端に対向するカバー面部と、
幕板の一部を支持するための支持部と、が形成されている、デッキとする。
【００１６】
また、請求項２に記載のごとく、
支持部には、幕板の所定の部位に係合するための係合部が形成されている、こととする。
【００１７】
また、請求項３に記載のごとく、
幕板固定部材は、
デッキ材の長手方向の端面にビス留めされるものであって、
デッキ材にビス留めするためのビスの先端部に対向するカバー面部が形成されている、こととする。
【００１８】
また、請求項４に記載のごとく、
デッキ材の長手方向の端面に幕板固定部材を付け合せるとともに、幕板固定部材をビスによって固定するステップと、幕板を幕板固定部材に係合させるとともに、幕板を幕板固定部材の支持部に載置して仮置きする幕板の表面側からビスを打ち込んで、幕板を幕板固定部材の固定用縦面部に固定するステップと、を含むデッキの施工方法とするものである。
【００１９】
また、請求項５に記載のごとく、
デッキ材の側面に幕板固定部材を付け合せるとともに、幕板固定部材を大引に固定するステップと、幕板の一部である下端部の凹部を幕板固定部材の凸部に係合させるとともに、下端部を支持部に載置して仮置きするステップと、幕板の表面側からビスを打ち込んで、幕板を幕板固定部材の固定用縦面部に固定するステップと、を含むデッキの施工方法とするものである。
【発明の効果】
【００２０】
本発明の効果として、以下に示すような効果を奏する。
【００２１】
即ち、請求項１に記載の発明においては、幕板の表面側から幕板固定部材に対して幕板をビス留めすることが可能となり、施工性に優れた構成が実現できる。また、支持部に幕板を仮置きした状態とすることができるため、例えば３．６メートルといった長尺の幕板の施工を一人の作業員で行う場合においても、優れた施工性を実現することができる。さらに、ビスの先端が隠されることになり、幕板の裏側に作業員の手が入り込んだ際に、指がビスの先端に触れてしまうことを回避できる。
【００２２】
また、請求項２に記載の発明においては、係合部が幕板の所定の部位に引っ掛けられることにより、幕板固定部材に対する幕板の位置決めが行える。
【００２３】
また、請求項３に記載の発明においては、デッキ材にビス留めするためのビスの先端が隠されることになり、幕板の裏側に作業員の手が入り込んだ際に、指がビスの先端に触れてしまうことを回避できる。
【００２４】
また、請求項４に記載の発明においては、幕板の表面側からの作業によって幕板を固定することが可能となり、施工性に優れた構成とすることができる。また、幕板を仮置きした状態で幕板の幕板固定部材に対する固定ができるので、例えば３．６メートルといった長尺の幕板の施工を一人の作業員で行う場合においても、優れた施工性を実現することができる。
【００２５】
また、請求項５に記載の発明においては、幕板の表面側からの作業によって幕板を固定することが可能となり、施工性に優れた構成とすることができる。また、幕板を仮置きした状態で幕板の幕板固定部材に対する固定ができるので、例えば３．６メートルといった長尺の幕板の施工を一人の作業員で行う場合においても、優れた施工性を実現することができる。
【図面の簡単な説明】
【００２６】
【図１】本発明を適用するデッキの構成例について示す図。
【図２】デッキ材の長手方向端面に付設される幕板固定部材について示す側面断面図。
【図３】デッキ材の長手方向端面における幕板固定部材の固定について示す斜視図。
【図４】デッキ材の長手方向端面に付設される幕板固定部材の他の構成について示す側面断面図。
【図５】デッキ材の側面に付設される幕板固定部材について示す側面断面図。
【図６】デッキ材の側面における幕板固定部材の固定について示す斜視図。
【発明を実施するための形態】
【００２７】
以下、本発明の実施形態を図面に基づいて説明する。
図１は、本発明を適用するデッキ１０の構成例について示す図である。デッキ１０は、テラス窓１１の室外側に設置されており、基礎石上に多数の束柱１を起立固定し、束柱１上にデッキ材３を支持するための大引２が架設固定される。
【００２８】
大引２はテラス窓１１の間口方向に伸びるように配置され、この大引２に直交するようにデッキ材３，３が並列されて大引２に載置固定され、デッキ材３，３の表面により、連続した床面３０が構成される。
【００２９】
この床面３０の周囲の二辺、乃至、三辺を囲繞するように、デッキ材３の長手方向端面にはデッキ材３と直交するように幕板４が固定され、デッキ材３の側面には幕板４がデッキ材３と平行に固定される。
【００３０】
以上の構成において、束柱１及び大引２は、中空のアルミ押出成形材により構成することができる。また、デッキ材３及び幕板４は、合成樹脂と木粉を混合した押出成形材にて構成され、その外層を木目調とする人工木とすることで、木調デッキ材や木調幕板として構成することができる。
【００３１】
なお、以上はデッキ１０を構成する場合についての実施形態であるが、大引２を傾斜させることにより、デッキ材３の床面３０を傾斜させてスロープ（スロープ状に構成されるデッキ）を構成する場合についても、本発明の構成を適用することができる。
【００３２】
図２は、デッキ材３の長手方向端面に対する幕板４の固定について示す断面図である。幕板４は、デッキ材３の端面３ａに先付け固定した幕板固定部材５に対して固定される。
【００３３】
幕板固定部材５は、デッキ材３先端の中空部３１内に挿入される上側部位５１と、デッキ材３先端の下方に垂下される下側部位５２を有して構成されている。幕板固定部材５は、板金加工品、アルミ押出成形材、樹脂成形品などにより一部材として構成することができ、また、複数の部材を連結して構成されるものであってもよい。
【００３４】
上側部位５１には、幕板４の上部をビス留めするための固定用縦面部５１ａと、固定用縦面部５１ａの下端部から中空部３１のより内側にある底面３２に向かって傾斜して延設される傾斜脚面部５１ｂと、傾斜脚面部５１ｂの中途部から中空部３１のより外側にある底面３２に向かって傾斜して延設されるビス受座５１ｃと、が形成されている。
【００３５】
下側部位５２には、幕板４の下部をビス留めするための固定用縦面部５２ａと、固定用縦面部５２ａの上端部からデッキ材３の下面３３に向かって傾斜して延設される傾斜面部５２ｂと、傾斜面部５２ｂの上端部において傾斜脚面部５１ｂと平行となるように設けられる傾斜面部５２ｃと、傾斜面部５２ｃからデッキ材３の下面３３に向かって傾斜面部５２ｂと平行となるように延設されるビス受部５２ｄと、が形成されている。
【００３６】
上側部位５１のビス受座５１ｃと、下側部位５２の傾斜面部５２ｃは、デッキ材３の底板部３４の端部が差し込まれる略コ字状の溝状部５３によって接続されている。
【００３７】
以上のように構成される幕板固定部材５は、ビス４１（ドリルネジ）によって、デッキ材３に対して固定される。具体的には、溝状部５３にデッキ材３の底板部３４を差し込ませつつ、傾斜脚面部５１ｂを中空部３１内に差し込んだ状態とし、ビス受座５１ｃに対して斜め方向にビス４１を打ち込む。ビス４１は、デッキ材３の底板部３４を貫通した後、ビス受部５２ｄに打ち込まれることにより、ビス４１を介して幕板固定部材５がデッキ材３に対して固定される。
【００３８】
そして、幕板固定部材５には、幕板固定部材５をデッキ材３に対して固定するためのビス４１の打ち込み方向Ｚ１において、ビス受部５２ｄに対して離間して対向するとともに、ビス受部５２ｄに打ち込まれたビス４１の先端部に対向するカバー面部５４が設けられている。
【００３９】
このカバー面部５４により、ビス４１の先端が隠されることになり、幕板４の裏側に作業員の手が入り込んだ際に、指がビス４１の先端に触れてしまうことを回避できる。
【００４０】
さらに、幕板固定部材５において、下側部位５２の下部には、幕板４の一部である下端部４ａを支持するための支持部５５が形成されている。なお、幕板４の下端部４ａの支持に加え、或いは、下端部４ａの支持の代わりに、幕板４の上下方向の中途部が支持される構成であってもよい。
【００４１】
支持部５５には、固定用縦面部５２ａからデッキ材３側に水平方向に延設される水平面部５５ａと、水平面部５５ａの中途部から下方に延設される縦板面部５５ｂと、縦板面部５５ｂの下端部から幕板４側に水平方向に延設される水平面部５５ｃと、が形成されている。
【００４２】
また、水平面部５５ｃの中途部には、幕板４の下面４ｂに形設された凹部４ｃに係合するための凸部５５ｄが形成されている。凹部４ｃに対し、凸部５５ｄを係合させることで、幕板固定部材５に対する幕板４の位置決めが行えるようになっている。なお、本実施形態では、凹部４ｃが下側に開放される溝状に構成され、凸部５５ｄが上側に突設される突条部にて構成されている。
【００４３】
そして、水平面部５５ｃには、幕板４の下面４ｂが載置されるようになっている。これにより、幕板固定部材５に対して、幕板４を仮置きした状態とすることができる。
【００４４】
また、幕板４の上端部４ｅには、デッキ材３の上面３５に覆い被さるような突条部４ｆが設けられる。この突条部４ｆによって、デッキ材３の端面３ａを上方から覆い隠すことができる。
【００４５】
さらに、幕板固定部材５には、幕板４を幕板固定部材５に対して固定するためのビス４３の打ち込み方向Ｚ２において固定用縦面部５２ａに対して離間して対向するとともに、ビス４３の先端部に対向するカバー面部５６が設けられている。
【００４６】
このカバー面部５６により、ビス４３の先端が隠されることになり、幕板４の裏側に作業員の手が入り込んだ際に、指がビス４３の先端に触れてしまうことを回避できる。
【００４７】
以上に説明した構成により本発明を実施することができる。
即ち、図１乃至図３に示すごとく、
幕板４を幕板固定部材５で固定してなるデッキ１０であって、
幕板固定部材５は、
幕板４の表面４ｄ側から挿入されるビス（ドリルネジ）４３を固定するための固定用縦面部５２ａと、
ビス４３の先端に対向するカバー面部５６と、
幕板４の一部（下端部４ａ）を支持するための支持部５５と、が形成されている。
【００４８】
これにより、幕板４の表面４ｄ側から幕板固定部材５に対して幕板４をビス留めすることが可能となり、施工性に優れた構成が実現できる。また、支持部５５に幕板４を仮置きした状態とすることができるため、例えば３．６メートルといった長尺の幕板４の施工を一人の作業員で行う場合においても、優れた施工性を実現することができる。さらに、ビス４３の先端が隠されることになり、幕板４の裏側に作業員の手が入り込んだ際に、指がビス４３の先端に触れてしまうことを回避できる。
【００４９】
また、支持部５５には、幕板４の所定の部位（凹部４ｃ）に係合するための係合部（凸部５５ｄ）が形成されている。
【００５０】
これにより、幕板固定部材５に対する幕板４の位置決めが行える。
【００５１】
また、幕板固定部材５は、デッキ材３の長手方向の端面３ａにビス留めされるものであって、
デッキ材３にビス留めするためのビス４１の先端部に対向するカバー面部５４が形成されている。
【００５２】
これにより、デッキ材３にビス留めするためのビス４１の先端が隠されることになり、幕板４の裏側に作業員の手が入り込んだ際に、指がビス４３の先端に触れてしまうことを回避できる。
【００５３】
また、以上の幕板固定部材５を用いてデッキ材３に幕板４が固定されるデッキ１０が構成される。
【００５４】
これにより、ビス４３の先端が隠されることになり、幕板４の裏側に作業員の手が入り込んだ際に、指がビス４３の先端に触れてしまうことを回避できる。
【００５５】
そして、以上の構成により、以下のようにして幕板４を施工することができる。
即ち、デッキ材３の長手方向の端面３ａに幕板固定部材５を付け合せるとともに、幕板固定部材５をビス４１によって固定するステップと、幕板４の一部である下端部４ａの凹部４ｃを幕板固定部材５の凸部５５ｄに係合させるとともに、下端部４ａを幕板固定部材５の支持部５５に載置して仮置きするステップと、幕板４の表面４ｄ側からビス（ドリルネジ）４２，４３を打ち込んで、幕板４を幕板固定部材５の固定用縦面部５１ａ，５２ａに固定するステップと、を含むデッキの施工方法とするものである。
【００５６】
このような固定方法によれば、幕板４の表面４ｄ側からの作業によって幕板４を固定することが可能となり、施工性に優れた構成とすることができる。また、幕板４を仮置きした状態で幕板４の幕板固定部材５に対する固定ができるので、例えば３．６メートルといった長尺の幕板４の施工を一人の作業員で行う場合においても、優れた施工性を実現することができる。なお、幕板４の表面４ｄに現れることとなるビス（ドリルネジ）４２，４３の外観は、施工後の塗装やシール貼付などによって、幕板４の表面４ｄの色彩に合わせることが好ましい。
【００５７】
また、図２に示したように、デッキ材３の長手方向端部に幕板４を留め付ける形態については、図４に示す構成とすることもできる。このような構成は、例えば、図示せぬ手摺を支持するための柱８１を支持するために、デッキ材３の長手方向端部を大引８２で下から支える構成の場合に適用される。
【００５８】
図４の例の幕板固定部材９は、大引８２の側面に固定される逆Ｌ字状のスペーサー部材８３に対し固定されるものである。幕板固定部材９には、スペーサー部材８３の上部水平面部８３ａにビス固定される水平面部９１と、スペーサー部材８３の下部溝部８３ｂに係合される下部係合部９２が形成されている。
【００５９】
また、幕板４を固定するための幕板固定部材９の固定用縦面部９４から下部係合部９２に至るまでの範囲は板面部９５によって構成されており、この板面部９５が幕板固定部材９に幕板４を固定するためのビス８４の先端部に対向するようになっている。
【００６０】
以上の構成により、板面部９５が図２におけるカバー面部５６と同様の機能をなすことになり、図２と同様の効果を実現することができる。
【００６１】
次に、図５を用い、デッキ材３の側面３ｂに対する幕板４の固定について説明する。この図５に示すように、幕板４は、大引２に対して固定される幕板固定部材６に対して固定される。
【００６２】
幕板固定部材６は、デッキ材３の側面３ｂに対して付設される上側部位６１と、デッキ材３の側面から下方に垂下する下側部位６２を有して構成されている。幕板固定部材６は、板金加工品、アルミ押出成形材、樹脂成形品などにより一部材として構成することができ、また、複数の部材を連結して構成されるものであってもよい。
【００６３】
上側部位６１には、幕板４の上部をビス留めするための固定用縦面部６１ａと、固定用縦面部６１ａの中途部からデッキ材３に向かって突出する上部支持部６４と、が形成されている。
【００６４】
上部支持部６４には、固定用縦板面部６１ａの下端部からデッキ材３側に水平方向に延設される水平面部６４ａと、水平面部６４ａの右端部から上方に延設される縦板面部６４ｂと、縦板面部６４ｂの上端部からデッキ材３側に向かって傾斜して延設される傾斜板面部６４ｃと、傾斜板面部６４ｃの右上側先端部よりデッキ材３側に水平方向に延設される水平面部６４ｄと、が形成されている。
【００６５】
また、水平面部６４ｄの先端部には、デッキ材３の側面に形設された凹条部３２ａに係合するための凸部６４ｅが形成されている。この凸部６４ｅを凹条部３２ａに対し係合させることで、デッキ材３に対する幕板固定部材６の位置決めが行えるようになっている。なお、本実施形態では、凹条部３２ａが上側に開放される溝状に構成され、凸部６４ｅが下側に突設される突条部にて構成されている。
【００６６】
下側部位６２には、幕板４の下部をビス留めするための固定用縦面部６２ａと、固定用縦面部６２ａから上方に伸びる縦板面部６２ｂと、が形成されている。
【００６７】
さらに、幕板固定部材５において、下側部位６２の下部には、幕板４の一部である下端部４ａを支持するための支持部６５が形成されている。なお、幕板４の下端部４ａの支持に加え、或いは、下端部４ａの支持の代わりに、幕板４の上下方向の中途部が支持される構成であってもよい。
【００６８】
支持部６５には、固定用縦面部６２ａからデッキ材３側に水平方向に延設される水平面部６５ａと、水平面部６５ａの右端部から下方に延設される縦板面部６５ｂと、縦板面部６５ｂの下端部から幕板４側に水平方向に延設される水平面部６５ｃと、が形成されている。
【００６９】
また、水平面部６５ｃの中途部には、幕板４の下面４ｂに形設された凹部４ｃに係合するための凸部６５ｄが形成されている。凹部４ｃに対し、凸部６５ｄを係合させることで、幕板固定部材６に対する幕板４の位置決めが行えるようになっている。なお、本実施形態では、凹部４ｃが下側に開放される溝状に構成され、凸部６５ｄが上側に突設される突条部にて構成されている。
【００７０】
そして、水平面部６５ｃには、幕板４の下面４ｂが載置されるようになっている。これにより、幕板固定部材６に対して、幕板４を仮置きした状態とすることができる。
【００７１】
また、幕板４の上端部４ｅには、デッキ材３の上面３５に覆い被さるような突条部４ｆが設けられる。この突条部４ｆによって、デッキ材３の端面３ａを上方から覆い隠すことができる。
【００７２】
さらに、幕板固定部材６の縦板面部６２ｂには、デッキ材３の下方の位置において、水平方向に突出する突出板面６７，６８が上下に離間して形成されており、突出板面６７，６８の突端部には、タッピングホール６７ａ，６８ａが突出板面６７，６８の下方となる位置にそれぞれ形成されている。
【００７３】
図６に示すごとく、突出板面６７，６８は、デッキ材３を下から支える大引２の中空部２１内に挿入されるとともに、大引２の側面からタッピングホール６７ａ，６８ａに対してビス６７ｂ，６８ｂを打ち込むことによって、幕板固定部材６が大引２に対して固定される。
【００７４】
そして、以上の構成により、以下のようにして幕板４を施工することができる。
即ち、図５及び図６に示すごとく、デッキ材３の側面３ｂに幕板固定部材６を付け合せるとともに、幕板固定部材６を大引２に固定するステップと、幕板４の一部である下端部４ａの凹部４ｃを幕板固定部材６の凸部６５ｄに係合させるとともに、下端部４ａを幕板固定部材６の支持部６５に載置して仮置きするステップと、幕板４の表面４ｄ側からビス（ドリルネジ）４２，４３を打ち込んで、幕板４を幕板固定部材６の固定用縦面部６１ａ，６２ａに固定するステップと、を含むデッキの施工方法とするものである。
【００７５】
このような固定方法によれば、幕板４の表面４ｄ側からの作業によって幕板４を固定することが可能となり、施工性に優れた構成とすることができる。また、幕板４を仮置きした状態で幕板４の幕板固定部材５に対する固定ができるので、例えば３．６メートルといった長尺の幕板４の施工を一人の作業員で行う場合においても、優れた施工性を実現することができる。なお、幕板４の表面４ｄに現れることとなるビス（ドリルネジ）４２，４３の外観は、施工後の塗装やシール貼付などによって、幕板４の表面４ｄの色彩に合わせることが好ましい。
【産業上の利用可能性】
【００７６】
本発明は、デッキ材の長手方向端部や側面に付設される幕板を固定するための幕板固定部材として、幅広く適用することができる。
【符号の説明】
【００７７】
２    大引
３    デッキ材
４    幕板
５    幕板固定部材
６    幕板固定部材
１０    デッキ
３１    中空部
４３    ビス
５２ａ  固定用縦面部
５５    支持部
５５ｄ  凸部
５６    カバー面部
【図１】
2014125743.tif 000003
【図２】
2014125743.tif 000004
【図３】
2014125743.tif 000005
【図４】
2014125743.tif 000006
【図５】
2014125743.tif 000007
【図６】
2014125743.tif 000008